(57)【要約】【課題】間隔保持部を備えたハット形鋼矢板およびその積み重ね方法を提供すること。【解決手段】ウェブ部３の両端に一対のフランジ部４が連設され、前記フランジ部４の他端にアーム部５が連設されていると共に、そのアーム部５の先端部に継手部６を設けた断面ハット型形状であり、熱間圧延加工により製造されるハット形鋼矢板２において、前記ウェブ部３、フランジ部４、アーム部５の３箇所のうち少なくとも１箇所以上に、板状部材２１、棒状部材２０または形鋼部材あるいは溶接ビード２２のいずれかまたは複数からなる積み重ね用の間隔保持部８を、ハット形鋼矢板２の長手方向に断続または連続して設けている。【選択図】図１
2008111250.tif 000002
【特許請求の範囲】
【請求項１】
ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、
前記ウェブ部、フランジ部、アーム部の３箇所のうち少なくとも１箇所以上に、板状部材、棒状部材または形鋼部材のいずれかからなる積み重ね用の間隔保持部材を、ハット形鋼矢板の長手方向に断続または連続して取り付けることで、間隔保持部を設けたことを特徴とする間隔保持部を備えたハット形鋼矢板。
【請求項２】
ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、前記ウェブ部に、板状部材、棒状部材または形鋼部材のいずれかからなる積み重ね用の間隔保持部材を、ハット形鋼矢板の長手方向に断続または連続して取り付けることで、間隔保持部を設けたことを特徴とする間隔保持部を備えたハット形鋼矢板。
【請求項３】
ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、各フランジ部に、板状部材、棒状部材または形鋼部材のいずれかからなる積み重ね用の間隔保持部材を、ハット形鋼矢板の長手方向に断続または連続して取り付けることで、間隔保持部を設けたことを特徴とする間隔保持部を備えたハット形鋼矢板。
【請求項４】
ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、各アーム部に、棒状部材または形鋼部材のいずれかからなる積み重ね用の間隔保持部材を、ハット形鋼矢板の長手方向に断続または連続して取り付けることで、間隔保持部を設けたことを特徴とする間隔保持部を備えたハット形鋼矢板。
【請求項５】
ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、
前記ウェブ部、フランジ部、アーム部の３箇所のうち少なくとも１箇所以上に、必要高さを有した溶接ビードを、ハット形鋼矢板の長手方向に断続または連続して設けて形成された積み重ね用の間隔保持部を備えていることを特徴とする間隔保持部を備えたハット形鋼矢板。
【請求項６】
ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、
前記ウェブ部、フランジ部、アーム部の３箇所のうち少なくとも１箇所以上に、板状部材、棒状部材または形鋼部材あるいは必要高さを有した溶接ビードのいずれか１つまたは２つ以上を設けることによる積み重ね用の間隔保持部を、ハット形鋼矢板の長手方向に断続または連続して設けたことを特徴とする間隔保持部を備えたハット形鋼矢板。
【請求項７】
積み重ね用の間隔保持部が、ハット形鋼矢板を積み重ねた場合の横ずれ防止用ストッパを兼ねていることを特徴とする請求項１〜４のいずれかに記載の間隔保持部を備えたハット形鋼矢板。
【請求項８】
積み重ね用の間隔保持部が、ハット形鋼矢板を積み重ねた場合の横ずれ防止用ストッパを兼ねた積み重ね用の間隔保持部であることを特徴とする請求項５に記載の間隔保持部を備えたハット形鋼矢板。
【請求項９】
請求項１〜５または７における板状部材、棒状部材または形鋼部材のいずれかからなる積み重ね用の間隔保持部材を、溶接、接着、ボルト、リベット、ビス、鋲のいずれかの固定手段により、ハット形鋼矢板に取り付けていることを特徴とする間隔保持部を備えたハット形鋼矢板。
【請求項１０】
積み重ね用の間隔保持部は、矢板打設機における把持装置により把持する矢板上端部把持位置から離れた位置に設けられていることを特徴とする請求項１〜９のいずれかに記載の間隔保持部を備えたハット形鋼矢板。
【請求項１１】
請求項１〜９のいずれかの間隔保持部を備えたハット形鋼矢板を上下に積み重ねる方法において、上位に位置するハット形鋼矢板は、下位に位置するハット形鋼矢板における間隔保持部により支持され、かつ上位に位置するハット形鋼矢板における継手部と、下位に位置するハット形鋼矢板における継手部とが接触しないように間隙を介して積み重ねられることを特徴とするハット形鋼矢板の積み重ね方法。
【請求項１２】
請求項１１のハット形鋼矢板の積み重ね方法により複数積み重ねられたハット形鋼矢板郡と、枕木とを交互に積み重ねるハット形鋼矢板の積み重ね方法において、ハット形鋼矢板郡における枕木に最も近い位置のハット形鋼矢板における各アーム部と枕木との間に、少なくとも間隔保持部の高さ寸法を有する水平保持部材を介在させて、枕木とハット形鋼矢板の継手部とが接触しないようにこれらの間に間隙を設け、かつ前記水平保持部材により、ハット形鋼矢板郡上の枕木を水平状態で支持するようにしたことを特徴とするハット形鋼矢板の積み重ね方法。
【発明の詳細な説明】
【技術分野】
【０００１】
本発明は、鋼矢板に関するもので、土木建築分野における土留め壁、基礎構造、港湾河川の護岸・岸壁、さらには止水壁に用いる構造部材としての鋼矢板のうち、特に、積重ね間隔を確保可能な間隔保持部を備えたハット形鋼矢板およびその積み重ね方法に関する。
【背景技術】
【０００２】
従来、鋼矢板として、ハット形鋼矢板あるいはＵ形鋼矢板等の各種の鋼矢板が知られているが、これらの鋼矢板を積み重ねる場合の課題として、（１）特に、図３１あるいは図３２（図３６の拡大図も参照）に示すように、ハット形鋼矢板２は、左右の継手部の高さレベルが異なるようなハット形鋼矢板２で、左右で高さの異なる継手部を積み重ねる場合、上下のハット形鋼矢板における継ぎ手部６が接触し、左右の継手部の水平が保てないため、継手部６が変形しやすいといった問題があることが知られている。
【０００３】
また、図３５に示すように、（２）継手部が接触しないＵ形鋼矢板２３であっても、積重ね段数が増えるにつれ、鋼矢板の自重により、くさび作用によるはまり込みが生じ、Ｕ形鋼矢板の分離が困難になる場合があることも知られている。
【０００４】
上記（１）の問題を解消するための技術として、（Ａ）鋼矢板におけるフランジの傾きを調整することで、鋼矢板相互の積み重ね間隔を一定とすることを可能にした鋼矢板（例えば、特許文献１参照）、あるいは（Ｂ）フランジ部の長手方向に段重ね相手の継手部を座らせるための凹状段差部を設置させた鋼矢板（例えば、特許文献２参照）も知られている。
【０００５】
また、上記（２）の問題点を解消するための技術として、（Ｃ）鋼矢板のフランジ部の長手方向に、段重ね相手の継手部を座らせるための突起を形成させたＵ字形鋼矢板（例えば特許文献３参照、実開昭６２−９９６３１号公報）も知られている。
【０００６】
前記以外にも、図３３および図３４に示すように、（４）鋼矢板の積重ね間隔を保持するために、ハット形鋼矢板２のウェブ部３またはアーム部５に木材２４を単に置いて積み重ねる方法も知られている。
【特許文献１】特開２００５−１０５５５２号公報
【特許文献２】特開２００５−９８０２４号公報
【特許文献３】実開昭６２−９９６３１号公報
【発明の開示】
【発明が解決しようとする課題】
【０００７】
しかしながら、前記（Ａ）及び（Ｂ）の方法では、鋼矢板を熱間圧延で製造するため、熱間圧延加工時において、専用の孔型ロールが別途必要となり、多大な設備コスト、製造コストがかさむ問題がある。
また、これらの技術では、フランジの一部または全体の傾きを規定するため、現存の鋼矢板の適用が制限され、さらには、新規形状の鋼矢板を考案する場合においても効率的な断面設計が制限されてしまうという問題がある。
また、前記（Ｃ）の方法では、孔型ロールを用いた熱間圧延の後に、左右の突起付き堅ロールを用いた圧延を追加するため、製造コストが嵩む問題がある。
【０００８】
鋼矢板はトラックまたは船を用いて輸送されるが、ウェブ部に木材等の仮設間隔保持部材を置く方法では、施工現場及び輸送中継地での荷降し・積替え等において、仮設間隔保持部材をウェブ部に再設置する手間が、荷降し・積替えの都度発生し、鋼矢板の輸送が非効率となる問題がある。
本発明は、これらの課題を有利に解決することができる間隔保持部を備えたハット形鋼矢板およびその積み重ね方法を提供することを目的とする。
【課題を解決するための手段】
【０００９】
第１発明の間隔保持部を備えたハット形鋼矢板では、ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、
前記ウェブ部、フランジ部、アーム部の３箇所のうち少なくとも１箇所以上に、板状部材、棒状部材または形鋼部材のいずれかからなる積み重ね用の間隔保持部材を、ハット形鋼矢板の長手方向に断続または連続して取り付けることで、間隔保持部を設けたことを特徴とする。
第２発明の間隔保持部を備えたハット形鋼矢板では、ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、前記ウェブ部に、板状部材、棒状部材または形鋼部材のいずれかからなる積み重ね用の間隔保持部材を、ハット形鋼矢板の長手方向に断続または連続して取り付けることで、間隔保持部を設けたことを特徴とする。
第３発明の間隔保持部を備えたハット形鋼矢板では、ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、各フランジ部に、板状部材、棒状部材または形鋼部材のいずれかからなる積み重ね用の間隔保持部材を、ハット形鋼矢板の長手方向に断続または連続して取り付けることで、間隔保持部を設けたことを特徴とする。
第４発明の間隔保持部を備えたハット形鋼矢板では、ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、各アーム部に、棒状部材または形鋼部材のいずれかからなる積み重ね用の間隔保持部材を、ハット形鋼矢板の長手方向に断続または連続して取り付けることで、間隔保持部を設けたことを特徴とする。
第５発明の間隔保持部を備えたハット形鋼矢板では、ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、
前記ウェブ部、フランジ部、アーム部の３箇所のうち少なくとも１箇所以上に、必要高さを有した溶接ビードを、ハット形鋼矢板の長手方向に断続または連続して設けて形成された積み重ね用の間隔保持部を備えていることを特徴とする。
第６発明の間隔保持部を備えたハット形鋼矢板では、ウェブ部の両端に一対のフランジ部が連設され、前記フランジ部の他端にアーム部が連設されていると共に、そのアーム部の先端部に継手部を設けた断面ハット型形状であり、熱間圧延加工により製造されるハット形鋼矢板において、
前記ウェブ部、フランジ部、アーム部の３箇所のうち少なくとも１箇所以上に、板状部材、棒状部材または形鋼部材あるいは必要高さを有した溶接ビードのいずれか１つまたは２つ以上を設けることによる積み重ね用の間隔保持部を、ハット形鋼矢板の長手方向に断続または連続して設けたことを特徴とする。
第７発明では、第１発明〜第４発明のいずれかの間隔保持部を備えたハット形鋼矢板において、積み重ね用の間隔保持部は、ハット形鋼矢板を積み重ねた場合の横ずれ防止用ストッパを兼ねていることを特徴とする。
第８発明では、第５発明の間隔保持部を備えたハット形鋼矢板において、積み重ね用の間隔保持部が、ハット形鋼矢板を積み重ねた場合の横ずれ防止用ストッパを兼ねた積み重ね用の間隔保持部であることを特徴とする。
第９発明の間隔保持部を備えたハット形鋼矢板では、第１発明〜第５発明または第７発明における板状部材、棒状部材または形鋼部材のいずれかからなる積み重ね用の間隔保持部材を、溶接、接着、ボルト、リベット、ビス、鋲のいずれかの固定手段により、ハット形鋼矢板に取り付けていることを特徴とする。
第１０発明では、第１発明〜第９発明のいずれかに記載の間隔保持部を備えたハット形鋼矢板において、積み重ね用の間隔保持部は、矢板打設機における把持装置により把持する矢板上端部把持位置から離れた位置に設けられていることを特徴とする。
第１１発明の間隔保持部を備えたハット形鋼矢板の積み重ね方法では、第１発明〜第９発明のいずれかかの間隔保持部を備えたハット形鋼矢板を上下に積み重ねる方法において、上位に位置するハット形鋼矢板は、下位に位置するハット形鋼矢板における間隔保持部により支持され、かつ上位に位置するハット形鋼矢板における継手部と、下位に位置するハット形鋼矢板における継手部とが接触しないように間隙を介して積み重ねられることを特徴とする。
第１２発明のハット形鋼矢板の積み重ね方法では、第１１発明の間隔保持部を備えたハット形鋼矢板の積み重ね方法により複数積み重ねられたハット形鋼矢板郡と、枕木とを交互に積み重ねるハット形鋼矢板の積み重ね方法において、ハット形鋼矢板郡における枕木に最も近い位置のハット形鋼矢板における各アーム部と枕木との間に、少なくとも間隔保持部の高さ寸法を有する水平保持部材を介在させて、枕木とハット形鋼矢板の継手部とが接触しないようにこれらの間に間隙を設け、かつ前記水平保持部材により、ハット形鋼矢板郡上の枕木を水平状態で支持するようにしたことを特徴とする。
【発明の効果】
【００１０】
本発明によると、間隔保持部を設けることによって、従来のようにハット形鋼矢板のフランジ部の角度によらず、ハット形鋼矢板を積み重ねる場合に、一定の積み重ね間隔を確実に保持することができ、間隔保持部を備えた上下のハット形鋼矢板の継手部相互間に間隙を確実に形成してこれらの干渉による継手部の変形あるいは損傷を防止することができる。また、予め各ハット形鋼矢板に間隔保持部を設けているので、従来のように木材を手作業等により矢板間に、現場あるいは中継地において積み重ねる必要がないため、積み重ね作業が容易になる。また、新たな孔型ロールを準備して圧延形状を変更することなく、市販の熱間圧延成型されたハット形鋼矢板を利用して後付で間隔保持部を設けることができる。
第１発明によると、前記ウェブ部、フランジ部、アーム部の３箇所のうち少なくとも１箇所以上に、板状部材、棒状部材または形鋼部材のいずれかからなる積み重ね用の間隔保持部材を、ハット形鋼矢板の長手方向に断続または連続して取り付けることで、間隔保持部を設けるだけで、簡単に間隔保持部を備えたハット形鋼矢板を構成することができる効果が得られる。
第２発明によると、ハット形鋼矢板のウェブ部に、板状部材、棒状部材または形鋼部材のいずれかからなる積み重ね用の間隔保持部材を、ハット形鋼矢板の長手方向に断続または連続して取り付けることで、間隔保持部を設けるだけで、簡単に間隔保持部を備えたハット形鋼矢板を構成することができる効果が得られる。また、ウェブ部は平坦であるので、間隔保持部材の取り付けが容易である。
第３発明によると、ハット形鋼矢板の各フランジ部に、板状部材、棒状部材または形鋼部材のいずれかからなる積み重ね用の間隔保持部材を、ハット形鋼矢板の長手方向に断続または連続して取り付けることで、間隔保持部を設けるだけで、簡単に間隔保持部を備えたハット形鋼矢板を構成することができる効果が得られる。また、フランジ部に設ける場合には、フランジ部が傾斜している分、間隔保持部の高さ寸法を低くすることができる。
第４発明によると、ハット形鋼矢板において、各アーム部に、棒状部材または形鋼部材のいずれかからなる積み重ね用の間隔保持部材を、ハット形鋼矢板の長手方向に断続または連続して取り付けることで、間隔保持部を設けるだけで、簡単に間隔保持部を備えたハット形鋼矢板を構成することができる効果が得られる。
第５発明によると、ハット形鋼矢板における記ウェブ部、フランジ部、アーム部の３箇所のうち少なくとも１箇所以上に、必要高さを有した溶接ビードを、断続または連続して設けるだけで、積み重ね用の間隔保持部を容易に形成することができ、またそのような間隔保持部を備えているハット形鋼矢板を容易に製作することができる効果が得られる。
第６発明のように、ウェブ部、フランジ部、アーム部の３箇所のうち少なくとも１箇所以上に、板状部材、棒状部材または形鋼部材あるいは必要高さを有した溶接ビードのいずれか１つまたは２つ以上を設けることによる積み重ね用の間隔保持部を、ハット形鋼矢板の長手方向に断続または連続して設けるようにすると、ウェブ部またはアーム部には、高さの高い形鋼部材あるいは板状部材等を使用し、フランジ部には、高さの低い棒状部材または板状部材あるいは溶接ビードによる間隔保持部とする経済的な組み合わせ形態が可能になり、間隔保持部を備えているハット形鋼矢板の各種の形態が可能になり、間隔保持部を備えているハット形鋼矢板の設計が容易になると共に間隔保持部を備えているハット形鋼矢板の形態も、格段に自由度を増すことができる。
第７および第８発明のように、間隔保持部に横ずれ防止用ストッパを兼ねさせていると、間隔保持部を利用して、間隔保持部を備えたハット形鋼矢板を上下方向に積み重ねる場合に、積み重ねられた間隔保持部を備えたハット形鋼矢板の横方向へのずれを、間隔保持部を利用して防止することができる。
第９発明によると、板状部材、棒状部材または形鋼部材のいずれかからなる積み重ね用の間隔保持部材を、溶接、接着、ボルト、リベット、ビス、鋲のいずれかの固定手段により、ハット形鋼矢板に取り付けるので、板状部材、棒状部材または形鋼部材のハット形鋼矢板への取り付けが容易であると共に、安価な市販の部材を利用して間隔保持部を備えたハット形鋼矢板とすることができる。
第１０発明によると、積み重ね用の間隔保持部は、矢板打設機における把持装置により把持する矢板上端部把持位置から離れた位置に設けられているので、間隔保持部が矢板打設機における把持装置と干渉することはなく、間隔保持部を備えたハット形鋼矢板を打設する場合に、間隔保持部が支障となることはなく、通常の打設施工と同様に施工することができる。
第１１発明によると、上位に位置するハット形鋼矢板は、下位に位置するハット形鋼矢板における間隔保持部により支持され、かつ上位に位置するハット形鋼矢板における継手部と、下位に位置するハット形鋼矢板における継手部とが接触しないように間隙を介して積み重ねられるので、下位の間隔保持部を備えたハット形鋼矢板における間隔保持部により上位の間隔保持部を備えたハット形鋼矢板を安定した状態で確実に支持し、かつ上下の間隔保持部を備えたハット形鋼矢板における継手部相互が干渉して、変形あるいは損傷することなく積み重ねることができる。
第１２発明によると、第１０発明のハット形鋼矢板の積み重ね方法により複数積み重ねられたハット形鋼矢板郡と、枕木とを交互に積み重ねるハット形鋼矢板の積み重ね方法において、ハット形鋼矢板郡における枕木に最も近い位置のハット形鋼矢板における各アーム部と枕木との間に、少なくとも間隔保持部の高さ寸法を有する水平保持部材を介在させて、枕木とハット形鋼矢板の継手部とが接触しないようにこれらの間に間隙を設け、かつ前記水平保持部材により、ハット形鋼矢板郡上の枕木を水平状態で支持するようにしたので、各段のハット形鋼矢板郡内における各ハット形鋼矢板相互は、これらの間の間隔保持部により上下方向の間隔を一定にした水平状態で支持させることができ、また、枕木とハット形鋼矢板におけるアーム部との間に水平保持部材を介在させたので、ハット形鋼矢板郡と枕木とを水平保持部材を介して水平状態で支持させることができ、そのため、ハット形鋼矢板郡および枕木を安定して姿勢で積み重ねることができる等の効果が得られる。
【発明を実施するための最良の形態】
【００１１】
次に、本発明を図示の実施形態に基づいて詳細に説明する。
【００１２】
先ず、図示の実施形態において共通して使用されているハット形鋼矢板２の形状上の特徴について、図３６および図３７を参照して、最初に説明する。
図示形態のハット形鋼矢板２は、ウェブ部３の両側に外側に向かって傾斜するようにフランジ部４が一体に設けられ、そのフランジ部４に一体に、前記ウェブ部３に平行にアーム部５が設けられ、そのアーム部５の先端部に熱間圧延により成型加工された継手部６が設けられ、左右の継手部のうち、一方の継手部６と、他方の継手部６は、点対称の形状となるようにされている。
また、アーム部５に一体に形成された継手部６は、アーム部５の平坦面に対して直角な方向に突出する突出部を備えており、継手開口溝７側でその継手開口溝７に接続している基端側突出部１９と、継手開口溝７を形成している継手本体部１０の前記継手開口溝７と反対側の面で、継手本体部１０による突出部とで、基端側突出部１９による突出量Ｔ１と、継手部６の上部の継手本体部１０の上方への突出量Ｔ２とは、異なる突出量とされている。
そのため、このようなハット形鋼矢板２を積み重ねて仮置きする場合、図３１、３２に示すように、幅方向端部の継手部６が上下方向で接触した状態となるため、継手部６が、変形あるいは損傷する恐れがある。また、上下に重ねられた矢板相互は、爪先端部と爪先端部背面側との接触となり、上位に位置する鋼矢板２における基端側突出部１９は、下位に位置する鋼矢板２における継手本体部１０よりも若干下方に位置し、これに係合可能な鋼矢板幅方向の位置であるので、上位に位置する鋼矢板２における継手部６は、前記の係合可能な方向とは逆方向（矢印で示す方向）に崩れる恐れもある方向特性のある鋼矢板２である特徴を有している。
【００１３】
本発明で使用する前記ハット形鋼矢板２は、熱間圧延加工による圧延鋼材であり、継手部６が複雑な形状に成型され、継手部６の強度が高められている鋼矢板であり、従来公知の一枚の鋼板を冷間曲げ加工により製作された鋼矢板とは、継手部を含めた鋼矢板全体としての曲げ剛性が高められている。
前記ハット形鋼矢板２は、熱間圧延加工による圧延鋼材であり、継手部６が複雑な形状に成型され、継手部６が相互に離脱しないようにかん合強度が高められている鋼矢板であり、一枚の鋼板を冷間曲げ加工により形成された冷間成型による鋼矢板とは、異なった方法で製造される鋼矢板である。
【００１４】
（第１実施形態）
図１は、本発明の第１態形態の間隔保持部を備えたハット形鋼矢板１の一端側を示すものであって、鋼矢板ウェブ部３の両端部に外側に向かって傾斜するようにフランジ部４が一体に連設され、そのフランジ部４の端部に、前記ウェブ部３と平行にアーム部５が一体に屈曲連設され、そのアーム部５の先端部に継手部６が一体に設けられたハット形鋼矢板２により、本発明の間隔保持部を有する鋼矢板１における鋼矢板本体部１１が構成され、その鋼矢板本体部１１における各アーム部５に、等辺山形鋼を短く切断して構成した間隔保持部材９を、ハット形鋼矢板２における溝１２と反対側の表面に、長手方向に沿って縦向きに配置すると共に、短尺山形鋼１３における左右の各辺１４の幅方向先端部（下端部）をアーム部５に溶接により固定して、アーム部５の間隔保持部８を形成している。
【００１５】
また、ハット形鋼矢板２におけるウェブ部３の幅方向中間部に、前記の短尺山形鋼１３と同じ断面形状で若干長い寸法の山形鋼１３を横向きに配置すると共に、短尺山形鋼１３における前後の各辺１４の幅方向先端部（下端部）をウェブ部３に溶接により固定して、ウェブ部３の間隔保持部８を形成している。
前記の間隔保持部８を形成するための間隔保持部材９を、ウェブ部３のみに設けて形成してもよく、あるいは各アーム部５にのみ設けて形成してもよく、図示を省略するが、フランジ部４にのみ設けて形成してもよく、あるいはこれらの複数個所に設けてもよい。
前記のような間隔保持部８は、ハット形鋼矢板の長手方向に間隔をおいて設ける場合、例えば、短尺のハット形鋼矢板２である場合には、ハット形鋼矢板２の長手方向の両端部にそれぞれ設けるだけでもよく、ハット形鋼矢板２の長さ寸法が長い場合には、適宜ハット形鋼矢板２の長手方向の中間部に、それぞれ独立した間隔保持部８を断続して設けてもよい。また、ハット形鋼矢板２の長手方向に連続して設けてもよい。
このように、ハット形鋼矢板２におけるウェブ部３またはフランジ部４あるいはアーム部５の３箇所（ウェブ部は１つであるが、フランジ部の場合は、両フランジ部であり、アーム部の場合は、両アーム部である）における少なくとも１箇所以上に間隔保持部８を設ける。
ただし、これらの積み重ね用の間隔保持部を設ける場合は、矢板打設機における把持装置により把持するウェブ部３あるいはフランジ部４などでは、矢板上端部把持位置から離れた位置に設ける。矢板の頭部（上端部）には、矢板打設機により把持する部分の強度を高めるために補強板が溶接等により固着されている場合があるが、この補強板から、下または横等に離れた位置に設けられる。下方向に離れた位置に設ける場合は、通常、５０ｃｍ程度離れた位置の矢板上端部に設ける。もっとも、反転しても使用される鋼矢板で端部に補強板がある場合には、矢板長手方向の両端部の補強板から長手方向あるいは幅方向に離れた位置に設ける必要がある。アーム部５などでは、矢板打設機における把持装置に干渉しない場合には、ハット形鋼矢板２の両端まで設けるようにしてもよい。
【００１６】
前記の間隔保持部８を形成するために設置する間隔保持部材９は、等辺山形鋼１３を使用しているが、等辺山形鋼以外にも、不等辺山形鋼、溝形鋼等の形鋼を使用してもよい。
【００１７】
また、間隔保持部材９を固定する手段としては、図示の形態のように溶接により固着してもよいが、溶接以外にも、接着剤、あるいはボルト、リベット、ビスまたは鋲によりハット形鋼矢板２に固定するようにしてもよい。
溶接により間隔保持部材９を固定する場合は、鋼矢板長手方向あるいは幅方向で、１パスあるいは２パスの溶接作業で固定できる形態では、安価に固定することが可能である。
間隔保持部材９における平坦面をハット形鋼矢板２におけるフランジ部４、あるいはウェブ部３あるいはアーム部５に当接させるように配置する形態では、接着剤により間隔保持部材９を固定することも可能である。
また、ハット形鋼矢板２におけるウェブ部３またはアーム部５あるいはフランジ部４に、一つまたは間隔をおいて複数の雌ねじ孔を設け、また、間隔保持部材９に一つまたは間隔をおいて複数のボルト挿通孔を設け、ボルト、リベットまたはビスにより、間隔保持部材９をハット形鋼矢板２に固定するようにしてもよく、あるいは、ねじ孔またはボルト挿入孔を設けることなく、ビス止めまたは鋲打ちにより、ハット形鋼矢板２と間隔保持部材９を直接固定するようにしてもよい。
【００１８】
また、図示を省略するが、間隔保持部材９による間隔保持部８を、ハット形鋼矢板２におけるウェブ部３あるいはアーム部５あるいはフランジ部４の長手方向に連続して設けてもよい。また、ウェブ部３とアーム部５とフランジ部４とに渡って連続して設けることも可能であり、この場合には、ウェブ部３とアーム部５とに設ける間隔保持部材９の高さを同じにし、フランジ部４に設ける間隔保持部材９は、フランジ部４の傾斜角を考慮して、高さの低いものを使用し、ウェブ部３の面に対する垂直な方向またはこれに平行な方向の高さ寸法が、同じ寸法となるように、フランジ部４に設ける間隔保持部材９の高さ寸法を設定すればよく、あるいは、図示を省略するが、フランジ部４に設ける間隔保持部材９は高さの低い棒状部材、板状部材または溶接ビードを用いてもよい。前記のように間隔保持部材９による間隔保持部８を設けることで、本発明の間隔保持部を備えたハット形鋼矢板１（以下、単にハット形鋼矢板１とも言う。）が構成されている。
【００１９】
次に、前記のような間隔保持部８を有するハット形鋼矢板２を積み重ねる方法について、図２を参照しながら説明する。
【００２０】
図１に示すような間隔保持部８を有するハット形鋼矢板１を積み重ねる場合は、図２に示すように、施工現場あるいは搬送中継地等の仮置き場における地盤またはコンクリート支持盤等の支持部１５に、最下端に配置される底部の枕木１６が、ハット形鋼矢板２の幅方向（左右方向）に延長するように上面が水平となるように配置されると共に、前後方向に間隔をおいて複数設置され、その各枕木１６上面で、ハット形鋼矢板１のアーム部５裏面に対応する位置の部分に、必要に応じて、ブロック状の水平保持部材１７が載置され、各水平保持部材１７に渡って、最下端の間隔保持部８を有するハット形鋼矢板１における各アーム部５が載置されている。
次いで、最下位の間隔保持部８を有するハット形鋼矢板１における間隔保持部材９に支持させるように、上位に位置する間隔保持部８を有するハット形鋼矢板１が積み重ね載置され、以下、順次、上位に位置する間隔保持部８を有するハット形鋼矢板１が複数積み重ねるように載置されて、最下段のハット形鋼矢板郡１８が形成され、このようなハット形鋼矢板郡１８を並列配置させ、それらのハット形鋼矢板郡１８に渡って２段目の枕木１６が載置され、その枕木の上面に、水平保持部材１７が設置され、前記と同様に複数のハット形鋼矢板２による並列する２段目のハット形鋼矢板郡１８が形成され、以下同様に、水平保持部材１７を載置した枕木１６と、ハット形鋼矢板１またはハット形鋼矢板郡１８を交互に配置して、ハット形鋼矢板２を積み重ねる。
この場合、下位に位置するハット形鋼矢板１におけるアーム部５に設けられている間隔保持部８は、上位に位置するハット形鋼矢板１が横ずれする場合には、継手本体部１０に係合して前記の横ずれを防止する横ずれ防止用ストッパとして機能させることができる。前記のように、間隔保持部８により横ずれ防止用ストッパとして機能させる上では、継手本体部１０に近接して位置に間隔保持部８を設けるようにするとよい。
【００２１】
前記のようにして、下位に位置する間隔保持部８を有するハット形鋼矢板２に対して上位に位置する間隔保持部材９を有するハット形鋼矢板１を積み重ねていくので、各ハット形鋼矢板２相互は、水平状態で設置され、各ハット形鋼矢板２相互は安定した状態で積み重ねることが可能になると共に、交互に積み重ねられる各ハット形鋼矢板郡１８と枕木１６とを水平状態の安定した状態で積み重ねることが可能になる。
【００２２】
前記の水平保持部材１７の高さ寸法は、ハット形鋼矢板２における継手部６の基端側突出部１９の突出量Ｔ１よりも高い寸法で、かつ継手本体部１０の突出量Ｔ２よりも高い寸法とされている。また、間隔保持部材９の高さ寸法は、ハット形鋼矢板１における継手部６の基端側突出部１９の突出量Ｔ１と、継手本体部１０の突出量Ｔ２の合計寸法以上の高さ寸法とされている。
したがって、前記の枕木１６と継手部６の間に、間隙が形成され、また、下位および上位に位置する間隔保持部８を有するハット形鋼矢板１相互間における継手部６間において間隙が形成され、これらの継手部６相互が干渉することはなく、従来のように継手部６が変形または損傷する恐れはない。
なお、前記の枕木１６としては、例えば、角形木材あるいはH形鋼材等が使用される。
前記の枕木１６は、水平保持部材１７が、ハット形鋼矢板１の長手方向に断続して設けられる場合には、これらの間において左右方向に延長するように設ければよい。
この形態では、ハット形鋼矢板１の姿勢が全体として逆Ｕ字状の姿勢の場合で、各ハット形鋼矢板２の積重ねの各々の段（ハット形鋼矢板郡１８）で最も下に位置するハット形鋼矢板１に水平保持のための水平保持部材１７が配置されている。これとは逆に、後記する実施形態のように、ハット形鋼矢板２の溝１２側に間隔保持部材９を設けた間隔保持部を備えたハット形鋼矢板２とする場合には、ハット形鋼矢板２は全体としてＵ字状姿勢となり、このような場合は、積重ねの各々の段で最も上に位置するハット形鋼矢板１に、水平保持のための水平保持部材１７を載置すればよい。
【００２３】
なお、図示を省略するが、間隔保持部８がハット形鋼矢板１のウェブ部３にその長手方向のほぼ全長に渡り設置されている形態では、枕木１６と間隔保持部８が干渉しないように、枕木１６に凹部を設けて、その凹部内に間隔保持部８を位置させて、枕木１６と間隔保持部８との干渉を防止するようにすればよい。
【００２４】
前記の水平保持部材１７は、鋼材，木材，ゴム材等の部材により構成され、例えば、断面矩形で、上面は水平で平坦な支承面とされた部材を使用する。
【００２５】
このように、板状部材２１または棒状部材２０からなる間隔保持部材９を、ハット形鋼矢板２に直接取り付けけることによって間隔保持部を備えたハット形鋼矢板１とすることで、施工現場または輸送中継地において仮置きする場合には、従来のように、木材等の間隔保持部材を設ける手間を省略でき、格段に効率的なハット形鋼矢板の荷降し・積替えが可能となる。しかも作業者数及び中継地での滞留時間を低減することができ、搬送コストを低減することが可能になる。
【００２６】
次に、本発明の他の実施形態を説明する。これらの他の実施形態では、間隔保持部８およびその配置形態が前記の第１実施形態と相違しているので、相違する部分を主に説明し、同様な部分には同様な符号を付して、説明を省略する。
【００２７】
（第２実施形態）
図３は、本発明の第２実施形態の間隔保持部を備えたハット形鋼矢板１を示し、図４は、第２実施形態の間隔保持部を備えたハット形鋼矢板１を、水平保持部材１７および枕木１６を使用して、積み重ねた形態が示されている。
【００２８】
この第２実施形態では、前記の第１実施形態と相違する点は、ウェブ部３に配置される間隔保持部材９を、ハット形鋼矢板２の長手方向に延長するように配置して溶接により固定した形態である。このように、ウェブ部３の長手方向（前後方向）に延長するように間隔保持部材９を配置して固定し間隔保持部８とする場合は、間隔保持部を備えたハット形鋼矢板１を積み重ねた場合に、下位に位置する左右方向の間隔保持部材９と上位に位置するハット形鋼矢板１との前後方向の接触部が長くなるので、上位に位置するハット形鋼矢板１の前後方向の横ずれをより確実に防止することができる。その他の構成は、前記実施形態と同様である。
【００２９】
（第３実施形態）
図５は、本発明の第３実施形態の間隔保持部を備えたハット形鋼矢板１を示し、図６は、第３実施形態の間隔保持部を備えたハット形鋼矢板１を、水平保持部材１７および枕木１６を使用して、積み重ねた形態が示されている。
【００３０】
この第３実施形態では、前記の第１実施形態と相違する点は、間隔保持部材９に、鋼棒あるいは鉄筋等の棒状部材２０を用いて間隔保持部材９として、ハット形鋼矢板２に溶接により固定して、積み重ねる場合の間隔保持部８を形成した形態で、また、ウェブ部３に設置する間隔保持部材９を、ハット形鋼矢板２の長手方向に延長するように配置して溶接により固定した形態である。このように棒状部材２０を設置するようにすると、より安価な間隔保持部材９による間隔保持部８を備えたハット形鋼矢板２とすることができる。
【００３１】
（第４実施形態）
図７は、本発明の第４実施形態の間隔保持部を備えたハット形鋼矢板１を示し、図８は、第４実施形態の間隔保持部を備えたハット形鋼矢板１を、水平保持部材１７および枕木１６を使用して、積み重ねた形態が示されている。
【００３２】
この第４実施形態では、前記の第１実施形態と相違する点は、前記第３実施形態と同様に棒状部材２０により間隔保持部材９とすると共に、これをハット形鋼矢板２に設置して間隔保持部８を形成するようにし、ウェブ部３に設けられる間隔保持部材９を、ハット形鋼矢板２の幅方向に延長するように配置して溶接により固定した形態である。その他の構成は、前記第１実施形態と同様である。
（第５実施形態）
図９は、本発明の第５実施形態の間隔保持部を備えたハット形鋼矢板１を示し、図１０は、第５実施形態の間隔保持部を備えたハット形鋼矢板１を、水平保持部材１７および枕木１６を使用して、積み重ねた形態が示されている。
【００３３】
この第５実施形態では、前記の第１実施形態と相違する点は、間隔保持部材９に鋼板等の板状部材２１を用いた間隔保持部材９とし、鋼製の板状部材２１をハット形鋼矢板２におけるウェブ部３あるいはアーム部５に溶接により固定して、積み重ねる場合の間隔保持部８を形成した形態で、また、ウェブ部３に設置する間隔保持部材９を、ハット形鋼矢板２の長手方向に延長するように配置して溶接により固定した形態である。このように板状部材２１を設置するようにすると、棒状部材２０と同様に、安価な間隔保持部材９による間隔保持部８を備えたハット形鋼矢板２とすることができる。このような板状部材２１をウェブ部３のみに立設するように設置する形態では、ウェブ部３の幅方向に間隔をおいて複数並列配置することが必要になる。その他の構成は、前記実施形態と同様である。
（第６実施形態）
図１１は、本発明の第６実施形態の間隔保持部を備えたハット形鋼矢板１を示し、図１２は、第６実施形態の間隔保持部を備えたハット形鋼矢板１を、水平保持部材１７および枕木１６を使用して、積み重ねた形態が示されている。
【００３４】
この第６実施形態では、前記の第１実施形態と相違する点は、間隔保持部材９に厚鋼板等の板状部材２１を用いた間隔保持部材９とし、鋼製の板状部材２１を立設しないで板状部材２１の板厚方向の下面をハット形鋼矢板２におけるウェブ部３あるいはアーム部５に載置すると共に、板状部材２１の側縁部をウェブ部３またはアーム部５に溶接により固定して、積み重ねる場合の間隔保持部８を形成した形態で、また、ウェブ部３に設置する間隔保持部材９を、ハット形鋼矢板２の長手方向に延長するように配置して溶接により固定した形態である。このように板状部材２１を設置するようにすると、棒状部材２０と同様に、安価な間隔保持部材９による間隔保持部８を備えたハット形鋼矢板２とすることができる。このような板状部材２１を使用するように設置する場合には、溶接、接着剤による接着、雌ねじ孔またはボルト軸部挿通孔を設けた、ボルト、リベットあるいはビスによる固定、または、ねじ孔またはボルト挿入孔を設けずにビス止めまたは鋲打ちによる固定により、間隔保持部８を容易に形成することができる。なお、厚鋼板等の板状部材２１に代えて、中空角鋼管等も使用できるが、中空部材よりは中実部材であるほうが、強度が向上するので好ましい。その他の構成は、前記実施形態と同様である。
【００３５】
（第７実施形態）
図１３は、本発明の第７実施形態の間隔保持部を備えたハット形鋼矢板１を示し、図１４は、第７実施形態の間隔保持部を備えたハット形鋼矢板１を、水平保持部材１７および枕木１６を使用して、積み重ねた形態が示されている。
【００３６】
この第７実施形態では、前記の第１実施形態と相違する点は、ウェブ部３とフランジ部４とにより形成される溝側のウェブ部３の側面あるいはアーム部５の側面に、間隔保持部材９を設置するようにした形態である。
また、ウェブ部３の内側面の長手方向に間隔保持部材９の長手方向が向くように設置されている。このような、間隔保持部８を有するハット形鋼矢板２は、ほぼ全体断面形状が、Ｕ字状であり、この姿勢で、積み重ねる形態の場合には、図１４に示すように、最下位の枕木１６にウェブ部３の外面側を下面として設置され、以下順に、下位に位置する間隔保持部８により、上位に位置するハット形鋼矢板２におけるウェブ部３あるいはアーム部５等を支承させるようにして積み重ねて、各段を構成するハット形鋼矢板郡１８を形成し、最上位に位置するハット形鋼矢板２におけるアーム部５の上面に、水平保持部材１７を載置した後、その水平保持部材１７に渡って枕木１６を設置し、次いで、次の段のハット形鋼矢板郡１８を形成すべく、順次、ハット形鋼矢板２を積み重ねて、各段のハット形鋼矢板郡１８を形成するようにされる。
このように、ハット形鋼矢板２の溝１２側に間隔保持部材９による間隔保持部８を設けた間隔保持部を備えたハット形鋼矢板２とする場合には、ハット形鋼矢板２は全体としてＵ字状姿勢となり、このような場合は、積重ねの各々の段で最も上に位置するハット形鋼矢板１に、水平保持のための水平保持部材１７を載置すればよい。その他の構成は、前記第１実施形態と同様である。
【００３７】
（第８実施形態）
図１５は、本発明の第８実施形態の間隔保持部を備えたハット形鋼矢板１を示し、図１６は、第８実施形態の間隔保持部を備えたハット形鋼矢板１を、水平保持部材１７および枕木１６を使用して、積み重ねた形態が示されている。
【００３８】
この第８実施形態では、前記の第７実施形態と相違する点は、ウェブ部３に配置される間隔保持部材９を、ハット形鋼矢板２の長手方向に延長するように配置して溶接により固定した間隔保持部８とした形態である。このように、ウェブ部３の幅方向（左右方向）に延長するように間隔保持部材９を配置して固定し間隔保持部８とする場合は、ハット形鋼矢板１を積み重ねた場合に、下位に位置する左右方向の間隔保持部材９と上位に位置するハット形鋼矢板１との横方向の接触部が長くなるので、上位に位置するハット形鋼矢板２の横ずれをより確実に防止することができる。その他の構成は、前記実施形態と同様である。
【００３９】
（第９実施形態）
図１７は、本発明の第９実施形態の間隔保持部を備えたハット形鋼矢板１を示し、図１８は、第９実施形態の間隔保持部を備えたハット形鋼矢板１を、水平保持部材１７および枕木１６を使用して、積み重ねた形態が示されている。
【００４０】
この第９実施形態では、前記の第７実施形態と相違する点は、間隔保持部材９に、前記した実施形態と同様に、鉄筋あるいは鋼棒等の棒状部材２０による間隔保持部材９を設置することにより間隔保持部８を形成するようにしたハット形鋼矢板１とした点が相違するが、その他の構成または作用効果は、前記した実施形態と同様である。
【００４１】
（第１０実施形態）
図１９は、本発明の第１０実施形態の間隔保持部を備えたハット形鋼矢板１を示し、図２０は、第１０実施形態の間隔保持部を備えたハット形鋼矢板１を、水平保持部材１７および枕木１６を使用して、積み重ねた形態が示されている。
【００４２】
この第１０実施形態では、前記の第９実施形態と相違する点は、棒状部材２０からなるウェブ部３に配置される間隔保持部材９を、ハット形鋼矢板２の長手方向に延長するように配置して溶接により固定してハット形鋼矢板１とした形態である。その他の構成は、前記実施形態と同様である。
【００４３】
（第１１実施形態）
図２１は、本発明の第１１実施形態の間隔保持部を備えたハット形鋼矢板１を示し、図２２は、第１１実施形態の間隔保持部を備えたハット形鋼矢板１を、水平保持部材１７および枕木１６を使用して、積み重ねた形態が示されている。
【００４４】
この第１１実施形態では、前記の図１５に示す第８実施形態と相違する点は、間隔保持部材９として長方形状で鋼製の板状部材２１を用い、板状部材２１をハット形鋼矢板２に立設して溶接により固定するようにしたハット形鋼矢板１の形態である。このような鋼板部材を使用すると安価な間隔保持部材９による間隔保持部８とすることができる。その他の構成は、前記実施形態と同様であるので、同様な要素には同様な符号を付して説明を省略する。
【００４５】
（第１２実施形態）
図２３は、本発明の第１２実施形態の間隔保持部を備えたハット形鋼矢板１を示し、図２４は、第１２実施形態の間隔保持部を備えたハット形鋼矢板１を、水平保持部材１７および枕木１６を使用して、積み重ねた形態が示されている。
【００４６】
この第１２実施形態では、前記の第１１実施形態と相違する点は、間隔保持部材９として長方形状の厚板部材からなる板状部材２１（または棒状部材２０）を用い、板状部材２１をハット形鋼矢板２に立設させないで、板厚方向の下面をハット形鋼矢板２におけるウェブ部３に載置して溶接により固定するようにした形態である。このような平鋼板からなる間隔保持部材９による間隔保持部８とする形態では、ウェブ部３にのみに設けても上位に位置するハット形鋼矢板１を支持することができる。その他の構成は、前記実施形態と同様である。
【００４７】
（第１３〜１７実施形態）
図２５（ａ）〜（ｄ）は、それぞれ本発明の第１３〜第１７実施形態の間隔保持部を備えたハット形鋼矢板１を示したもので、（ａ）（ｂ）（ｄ）のように山形鋼１３等の形鋼を間隔をおいて設置して間隔保持部８を形成するようにしてもよく、（ｃ）（ｅ）のように棒状部材２０を間隔をおいて複数設置するようにしてもよく、あるいは図示を省略するが、板状部材２１を間隔をおいて設置するようにしてもよい。これらの形態のように、ハット形鋼矢板２の長手方向に、それどれ独立した間隔保持部材９を、ハット形鋼矢板２の長手方向に間隔をおいて、両端部と中間部に設置して、各部分（ウェブ部３、アーム部５）等の長手方向）に３つ以上設置して、間隔保持部８とするようにしてもよい。
【００４８】
（第１８実施形態）
図２６は、本発明の第１８実施形態の間隔保持部を備えたハット形鋼矢板１を示す。この図は、ウェブ部３（図示の場合）、フランジ部４、あるいはアーム部５（図示を省略）の巾方向に間隔をおいて、間隔保持部８を複数設けてもよいことを示すための変形形態の代表形態を示したものである。なお、図示を省略するが、ハット形鋼矢板のウェブ部３の反対側面壁に設ける形態でも同様に、複数間隔をおいて設けてもよい。
【００４９】
（第１９実施形態）
図２７は、本発明の第１９実施形態の間隔保持部を備えたハット形鋼矢板１を示し、図２８は、第１９実施形態の間隔保持部を備えたハット形鋼矢板１を、水平保持部材１７および枕木１６を使用して、積み重ねた形態が示されている。
【００５０】
この第１９実施形態は、間隔保持部８を設ける場合に、ウェブ部３とフランジ部４とにより形成される溝側と反対側の側面における、ウェブ部３またはフランジ部４、あるいはアーム部５（図示を省略する）に、所定の高さの溶接ビード２２を設けて、溶接ビード２２による積み重ね用の間隔保持部８を設けたハット形鋼矢板１とした形態である。フランジ部４に設ける場合は、フランジ部４が傾斜しているために、ウェブ部３における溶接ビード２２の高さ寸法よりも溶接ビードの肉盛りを薄くしても、所定の高さに形成することができる。この図示形態のように、ウェブ部３またはフランジ部４の巾方向に延長するように設けてもよく、あるいは図示を省略するが、アーム部５に設けてもよい。また、前記各実施形態と同様に、ウェブ部３、フランジ部４、アーム部５の３箇所のうちいずれか１箇所以上に設けるようにしてもよい。また、図示を省略するが、ウェブ部３あるいはアーム部５に設ける溶接ビードの高さが大きく溶接パス数が多大となる場合は、板状部材、棒状部材または形鋼部材のいずれかの間隔保持部材９を用いてもよい。すなわち、換言すると、フランジ部４の間隔保持部材または溶接ビードによる間隔保持部材の高さが低くなるために、ウェブ部３とアーム部５は形鋼部材とし、フランジ部４は高さの低い棒状部材または板状部材あるいは溶接ビードを設置する形態でもよい。
さらに説明すると、ウェブ部、フランジ部、アーム部の３箇所のうち少なくとも１箇所以上に、板状部材、棒状部材または形鋼部材あるいは必要高さを有した溶接ビードのいずれか１つまたは２つ以上を設けることによる積み重ね用の間隔保持部を、ハット形鋼矢板の長手方向に断続または連続して設けるようにすると、ウェブ部またはアーム部には、高さの高い形鋼部材あるいは板状部材等を使用し、フランジ部には、高さの低い棒状部材または板状部材あるいは溶接ビードによる間隔保持部とする経済的な組み合わせ形態が可能になり、間隔保持部を備えているハット形鋼矢板の各種の形態が可能になり、間隔保持部を備えているハット形鋼矢板の設計が容易になると共に間隔保持部を備えているハット形鋼矢板の形態も、格段に自由度を増すことができる。
その他の構成は、前記した実施形態と同様である。
【００５１】
（第２０実施形態）
図２９は、本発明の第２０実施形態の間隔保持部を備えたハット形鋼矢板１を示し、図３０は、第２０実施形態の間隔保持部を備えたハット形鋼矢板１を、水平保持部材１７および枕木１６を使用して、積み重ねた形態が示されている。
【００５２】
この第２０実施形態では、前記の第１９実施形態と相違する点は、ウェブ部３とフランジ部４とにより形成される溝側の側面における、ウェブ部３またはフランジ部４、あるいはアーム部５（図示を省略する）に、所定の高さの溶接ビード２２を設けて、溶接ビード２２による積み重ね用の間隔保持部８を設けた形態である。この形態の場合も、フランジ部４に設ける場合は、フランジ部４が傾斜しているために、ウェブ部３における溶接ビード２２の高さ寸法よりも溶接ビードの肉盛りを薄くしても、所定の高さに形成することができる。その他の構成は、前記実施形態と同様である。
【００５３】
本発明を実施形態する場合、図示を省略するが、鋼矢板本体の表裏両面の対応する同じ位置に間隔保持部を設けるようにしてもよく、このようなハット形鋼矢板を積み重ねた場合、間隔保持部が重合されるため、各間隔保持部の高さ寸法を１／２にすることができる。このような形態では、さらに、幅方向の中央等に、一方の間隔保持部に突起を設けた雄型間隔保持部とし、他方の間隔保持部に凹部を設けた間隔保持部雌型とし、これらを重合するように嵌合させると確実に横ずれを防止することができる。
【００５４】
本発明を実施する場合、ハット形鋼矢板２におけるウェブ部３またはフランジ部４（両フランジ部の意）あるいはアーム部５（両アーム部の意）のいずれか１箇所または２箇所以上に、板状部材２１，棒状部材２０または山形鋼１３等の形鋼部材による間隔保持部材９を、ハット形鋼矢板２の長手方向に、間隔をおいて独立し断続して取り付けるか、または連続して取り付けけることによって、積み重ね用の間隔保持部８を形成する場合には、フランジ部４の傾きに制限されることはなく、また、従来の圧延設備に、新規に孔型ロールを準備せずに、現存圧延設備および現存のハット形鋼矢板２を、積み重ね用の間隔保持部８を有する新たなハット形鋼矢板１として、その積み重ね間隔の保持が可能となる。間隔保持部材９をハット形鋼矢板２の長手方向に、それぞれ独立して断続して間隔保持部材９を取り付けて間隔保持部８を形成する場合は、ハット形鋼矢板２の長手方向に少なくとも２箇所以上に設けるとよく、例えば、フランジ部４の場合は、両フランジ４で４部材の間隔保持部材９を設け、同様にアーム部５の場合は、両アーム部５で４部材の間隔保持部材９を設ける。また、ウェブ部３の幅方向に延長するように間隔保持部材９を設ける場合には、ハット形鋼矢板２の長手方向に２部材の間隔保持部材９を設ける。ウェブ部３の幅方向に間隔を置くと共にウェブ部３の長手方向に間隔をおいて設ける場合は、２部材あるいは４部材の間隔保持部材９を設けて、上位に位置する間隔保持部８を備えたハット形鋼矢板１を支持するようにすればよい。
【００５５】
なお、本発明において、ハット形鋼矢板２の長手方向または幅方向に連続した間隔保持部材９を溶接により固定して間隔保持部８とする場合に、間隔保持部材９をその長手方向に断続した溶接または連続した溶接により固定するようにしてもよい。溶接としては、例えば、隅肉溶接でよい。
【図面の簡単な説明】
【００５６】
【図１】本発明のハット形鋼矢板の第１実施形態を示すものであって、（ａ）は一端側の斜視図、（ｂ）は正面図である。
【図２】本発明の第１実施形態の鋼矢板を積み重ねる形態を示す正面図である。
【図３】本発明の鋼矢板の第２実施形態を示すものであって、（ａ）は一端側の斜視図、（ｂ）は正面図である。
【図４】本発明の第２実施形態の鋼矢板を積み重ねる形態を示す正面図である。
【図５】本発明の鋼矢板の第３実施形態を示すものであって、（ａ）は一端側の斜視図、（ｂ）は正面図である。
【図６】本発明の第３実施形態の鋼矢板を積み重ねる形態を示す正面図である。
【図７】本発明の鋼矢板の第４実施形態を示すものであって、（ａ）は一端側の斜視図、（ｂ）は正面図である。
【図８】本発明の第４実施形態の鋼矢板を積み重ねる形態を示す正面図である。
【図９】本発明の鋼矢板の第５実施形態を示すものであって、（ａ）は一端側の斜視図、（ｂ）は正面図である。
【図１０】本発明の第５実施形態の鋼矢板を積み重ねる形態を示す正面図である。
【図１１】本発明の鋼矢板の第６実施形態を示すものであって、（ａ）は一端側の斜視図、（ｂ）は正面図である。
【図１２】本発明の第６実施形態の鋼矢板を積み重ねる形態を示す正面図である。
【図１３】本発明の鋼矢板の第７実施形態を示すものであって、（ａ）は一端側の斜視図、（ｂ）は正面図である。
【図１４】本発明の第７実施形態の鋼矢板を積み重ねる形態を示す正面図である。
【図１５】本発明の鋼矢板の第８実施形態を示すものであって、（ａ）は一端側の斜視図、（ｂ）は正面図である。
【図１６】本発明の第８実施形態の鋼矢板を積み重ねる形態を示す正面図である。
【図１７】本発明の鋼矢板の第９実施形態を示すものであって、（ａ）は一端側の斜視図、（ｂ）は正面図である。
【図１８】本発明の第９実施形態の鋼矢板を積み重ねる形態を示す正面図である。
【図１９】本発明の鋼矢板の第１０実施形態を示すものであって、（ａ）は一端側の斜視図、（ｂ）は正面図である。
【図２０】本発明の第１０実施形態の鋼矢板を積み重ねる形態を示す正面図である。
【図２１】本発明の鋼矢板の第１１実施形態を示すものであって、（ａ）は一端側の斜視図、（ｂ）は正面図である。
【図２２】本発明の第１１実施形態の鋼矢板を積み重ねる形態を示す正面図である。
【図２３】本発明の鋼矢板の第１２実施形態を示すものであって、（ａ）は一端側の斜視図、（ｂ）は正面図である。
【図２４】本発明の第１２実施形態の鋼矢板を積み重ねる形態を示す正面図である。
【図２５】本発明の鋼矢板の第１３〜第１７実施形態を示す一端側の斜視図である。
【図２６】本発明の鋼矢板の第１８実施形態を示す一端側の斜視図である。
【図２７】本発明の鋼矢板の第１９実施形態を示すものであって、（ａ）は一端側の斜視図、（ｂ）は正面図である。
【図２８】本発明の鋼矢板の第１９実施形態を示す一端側の斜視図である。
【図２９】本発明の鋼矢板の第２０実施形態を示すものであって、（ａ）は一端側の斜視図、（ｂ）は正面図である。
【図３０】本発明の鋼矢板の第２０実施形態を示す一端側の斜視図である。
【図３１】ハット形鋼矢板を積み重ねる場合の形態を示す正面図である。
【図３２】ハット形鋼矢板を積み重ねる場合の他の形態を示す正面図である。
【図３３】ハット形鋼矢板を木材を利用して積み重ねる場合の形態を示す正面図である。
【図３４】ハット形鋼矢板を木材を利用して積み重ねる場合の他の形態を示す正面図である。
【図３５】従来のＵ形鋼矢板を積み重ねる場合の形態を示す側面図である。
【図３６】本発明において使用するハット形鋼矢板を示す正面図である。
【図３７】図３６における継手部を拡大して示す正面図である。
【符号の説明】
【００５７】
１  間隔保持部を備えたハット形鋼矢板
２  ハット形鋼矢板
３  ウェブ部
４  フランジ部
５  アーム部
６  継手部
７  継手開口溝
８  間隔保持部
９  間隔保持部材
１０  継手本体部
１１  鋼矢板本体部
１２  溝
１３  山形鋼
１４  辺
１５  支持部
１６  枕木
１７  水平保持部材
１８  ハット形鋼矢板郡
１９  基端側突出部
２０  棒状部材
２１  板状部材
２２  溶接ビード
２３  Ｕ形鋼矢板
２４  木材
【図１】
2008111250.tif 000003
【図２】
2008111250.tif 000004
【図３】
2008111250.tif 000005
【図４】
2008111250.tif 000006
【図５】
2008111250.tif 000007
【図６】
2008111250.tif 000008
【図７】
2008111250.tif 000009
【図８】
2008111250.tif 000010
【図９】
2008111250.tif 000011
【図１０】
2008111250.tif 000012
【図１１】
2008111250.tif 000013
【図１２】
2008111250.tif 000014
【図１３】
2008111250.tif 000015
【図１４】
2008111250.tif 000016
【図１５】
2008111250.tif 000017
【図１６】
2008111250.tif 000018
【図１７】
2008111250.tif 000019
【図１８】
2008111250.tif 000020
【図１９】
2008111250.tif 000021
【図２０】
2008111250.tif 000022
【図２１】
2008111250.tif 000023
【図２２】
2008111250.tif 000024
【図２３】
2008111250.tif 000025
【図２４】
2008111250.tif 000026
【図２５】
2008111250.tif 000027
【図２６】
2008111250.tif 000028
【図２７】
2008111250.tif 000029
【図２８】
2008111250.tif 000030
【図２９】
2008111250.tif 000031
【図３０】
2008111250.tif 000032
【図３１】
2008111250.tif 000033
【図３２】
2008111250.tif 000034
【図３３】
2008111250.tif 000035
【図３４】
2008111250.tif 000036
【図３５】
2008111250.tif 000037
【図３６】
2008111250.tif 000038
【図３７】
2008111250.tif 000039